(57)【要約】【課題】紙葉類収納繰出装置におけるジャムの発生を抑制する。【解決手段】紙葉類の収納及び繰り出しを行う収納繰出装置を、テープが巻回されたリールと、紙葉類の収納時には紙葉類をリールから繰り出されたテープと共に巻き取り、紙葉類の繰出時には紙葉類を巻き取ったテープと共に繰り出すドラムと、紙葉類の収納時には紙葉類及びテープをドラムへ送り、紙葉類の繰出時にはドラムが繰り出した紙葉類及びテープを受ける入出ユニットと、入出ユニットとドラムの間の所定領域において、該所定領域を走行するテープの方に突出した突出部とによって構成する。【選択図】図１
2020052850.tif 000002
【特許請求の範囲】
【請求項１】
テープと共に紙葉類の収納及び繰り出しを行う収納繰出装置であって、
前記テープが巻回されたリールと、
紙葉類の収納時には前記紙葉類を前記リールから繰り出された前記テープと共に巻き取り、紙葉類の繰出時には前記紙葉類を巻き取った前記テープと共に繰り出すドラムと、
紙葉類の収納時には紙葉類及び前記テープを前記ドラムへ送り、紙葉類の繰出時には前記ドラムが繰り出した前記紙葉類及び前記テープを受ける入出ユニットと、
前記入出ユニットと前記ドラムの間の所定領域において、前記所定領域を走行する前記テープの方に突出した突出部と
を備えることを特徴とする紙葉類収納繰出装置。
【請求項２】
前記突出部は、前記所定領域を搬送される紙葉類よりも上方に突出することを特徴とする請求項１に記載の紙葉類収納繰出装置。
【請求項３】
前記突出部は、前記ドラムに巻かれた前記テープの長さに応じて、前記ドラムの径方向に移動可能に設けられ、
前記突出部は、前記ドラムに巻かれた前記テープの長さによらず、前記所定領域において搬送される紙葉類よりも上方に突出する
ことを特徴とする請求項１又は２に記載の紙葉類収納繰出装置。
【請求項４】
前記ドラムの下方に配置され、前記所定領域において紙葉類をガイドするガイド部
をさらに備え、
前記突出部は、前記ガイド部に設けられていることを特徴とする請求項１〜３のいずれか１項に記載の紙葉類収納繰出装置。
【請求項５】
前記突出部は、前記テープと重ならない位置に配置されることを特徴とする請求項１〜４のいずれか１項に記載の紙葉類収納繰出装置。
【請求項６】
前記突出部を複数含み、
前記テープは、前記複数の突出部のうち隣接する突出部の間に配置されていることを特徴とする請求項１〜５のいずれか１項に記載の紙葉類収納繰出装置。
【請求項７】
前記突出部は、前記所定領域におけるテープの走行方向に沿って形成されていることを特徴とする請求項１〜６のいずれか１項に記載の紙葉類収納繰出装置。
【請求項８】
前記入出ユニットは、先端部が前記テープの表面と接触するスクレーパを含むことを特徴とする請求項１〜７のいずれか１項に記載の紙葉類収納繰出装置。
【請求項９】
前記スクレーパは、前記テープの表面と接触する先端部分を有し、
前記先端部分は、前記テープの走行方向に垂直な方向に延びる頂部を有し、
前記頂部の長さは、前記垂直な方向において前記テープの幅より小さい
ことを特徴とする請求項８に記載の紙葉類収納繰出装置。
【請求項１０】
前記入出ユニットは、紙葉類を搬送する搬送ローラを含むことを特徴とする請求項１〜９のいずれか１項に記載の紙葉類収納繰出装置。
【請求項１１】
前記入出ユニットは、テープを案内する案内ローラを含むことを特徴とする請求項１〜１０のいずれか１項に記載の紙葉類収納繰出装置。
【請求項１２】
前記リールは複数設けられ、
前記ドラムは、前記複数のリールの各々から前記テープを巻き取るように構成されている
ことを特徴とする請求項１〜１１のいずれか１項に記載の紙葉類収納繰出装置。
【請求項１３】
複数のテープは、前記ドラムの軸方向に並べて配置されていることを特徴とする請求項１２に記載の紙葉類収納繰出装置。
【請求項１４】
１枚目に収納される紙葉類が前記ドラムの外周面とテープとの間に挟まれた状態で前記ドラムに巻き取られる構成を有することを特徴とする請求項１〜１３のいずれか１項に記載の紙葉類収納繰出装置。
【請求項１５】
１枚目に収納される紙葉類が複数のテープの間に挟まれた状態で前記ドラムに巻き取られる構成を有することを特徴とする請求項１〜１４のいずれか１項に記載の紙葉類収納繰出装置。
【請求項１６】
請求項１〜１５のいずれか１項に記載の紙葉類収納繰出装置を備えることを特徴とする紙葉類処理装置。
【発明の詳細な説明】
【技術分野】
【０００１】
この発明は、紙葉類の収納及び繰り出しを行う紙葉類収納繰出装置及び該紙葉類収納繰出装置を備える紙葉類処理装置に関する。
【背景技術】
【０００２】
従来、紙葉類の収納及び収納した紙葉類の繰り出しを行う紙葉類収納繰出装置が利用されている。紙葉類収納繰出装置は、例えば紙葉類の種類の識別や枚数の計数を行う紙葉類処理装置に内蔵して利用される。紙葉類には、例えば紙幣、小切手、商品券が含まれる。
【０００３】
特許文献１にはテープ式の紙幣収納繰出装置を備える紙幣処理装置が開示されている。テープ式の紙幣収納繰出装置は帯状のテープを利用して紙幣の収納及び繰り出しを行う。テープは一端がドラムの外周面に接続され、他端がリールの外周面に接続されている。リールとドラムの間にはテープの走行位置を規制するガイドとテープの走行方向を変更するローラが配置されている。紙幣の収納時、紙幣収納繰出装置は搬送路を搬送されてきた紙幣を装置内に受けてテープと共にドラムに巻き取って収納する。紙幣の繰出時、紙幣収納繰出装置はドラムに巻き取っていた紙幣をテープと共に巻き出して装置外の搬送路へ繰り出す。
【先行技術文献】
【特許文献】
【０００４】
【特許文献１】特開２０１６−０３１６６３号公報
【発明の概要】
【発明が解決しようとする課題】
【０００５】
しかしながら、上記従来技術によれば、紙幣を繰り出す際、紙幣収納繰出装置内で紙幣が詰まるジャムが発生して紙幣を繰り出せなくなることがあった。ドラムを利用して収納される紙幣は、紙幣面全体がドラムの外周面に沿った状態でドラムに巻き取られる。例えば、ドラムに巻かれた紙幣に破れがあり、紙幣の一部がドラムの外周面から剥がれるように離れて垂れ下がることがある。この垂れ下がった部分が、紙幣の繰出時にガイドやローラに巻き込まれてジャムが発生すると紙幣収納繰出装置は動作を停止してしまう。
【０００６】
本発明は、上記従来技術による課題に鑑みてなされたものであって、ジャムの発生を抑制することができる紙葉類収納繰出装置及び該紙葉類収納繰出装置を備える紙葉類処理装置を提供することを目的とする。
【課題を解決するための手段】
【０００７】
上述した課題を解決し、目的を達成するため、本発明は、テープと共に紙葉類の収納及び繰り出しを行う収納繰出装置であって、前記テープが巻回されたリールと、紙葉類の収納時には前記紙葉類を前記リールから繰り出された前記テープと共に巻き取り、紙葉類の繰出時には前記紙葉類を巻き取った前記テープと共に繰り出すドラムと、紙葉類の収納時には紙葉類及び前記テープを前記ドラムへ送り、紙葉類の繰出時には前記ドラムが繰り出した前記紙葉類及び前記テープを受ける入出ユニットと、前記入出ユニットと前記ドラムの間の所定領域において、前記所定領域を走行する前記テープの方に突出した突出部とを備えることを特徴とする。
【０００８】
また、本発明は、上記発明において、前記突出部は、前記所定領域を搬送される紙葉類よりも上方に突出することを特徴とする。
【０００９】
また、本発明は、上記発明において、前記突出部は、前記ドラムに巻かれた前記テープの長さに応じて、前記ドラムの径方向に移動可能に設けられ、前記突出部は、前記ドラムに巻かれた前記テープの長さによらず、前記所定領域において搬送される紙葉類よりも上方に突出することを特徴とする。
【００１０】
また、本発明は、上記発明において、前記ドラムの下方に配置され、前記所定領域において紙葉類をガイドするガイド部をさらに備え、前記突出部は、前記ガイド部に設けられていることを特徴とする。
【００１１】
また、本発明は、上記発明において、前記突出部は、前記テープと重ならない位置に配置されることを特徴とする。
【００１２】
また、本発明は、上記発明において、前記突出部を複数含み、前記テープは、前記複数の突出部のうち隣接する突出部の間に配置されていることを特徴とする。
【００１３】
また、本発明は、上記発明において、前記突出部は、前記所定領域におけるテープの走行方向に沿って形成されていることを特徴とする。
【００１４】
また、本発明は、上記発明において、前記入出ユニットは、先端部が前記テープの表面と接触するスクレーパを含むことを特徴とする。
【００１５】
また、本発明は、上記発明において、前記スクレーパは、前記テープの表面と接触する先端部分を有し、前記先端部分は、前記テープの走行方向に垂直な方向に延びる頂部を有し、前記頂部の長さは、前記垂直な方向において前記テープの幅より小さいことを特徴とする。
【００１６】
また、本発明は、上記発明において、前記入出ユニットは、紙葉類を搬送する搬送ローラを含むことを特徴とする。
【００１７】
また、本発明は、上記発明において、前記入出ユニットは、テープを案内する案内ローラを含むことを特徴とする。
【００１８】
また、本発明は、上記発明において、前記リールは複数設けられ、前記ドラムは、前記複数のリールの各々から前記テープを巻き取るように構成されていることを特徴とする。
【００１９】
また、本発明は、上記発明において、複数のテープは、前記ドラムの軸方向に並べて配置されていることを特徴とする。
【００２０】
また、本発明は、上記発明において、１枚目に収納される紙葉類が前記ドラムの外周面とテープとの間に挟まれた状態で前記ドラムに巻き取られる構成を有することを特徴とする。
【００２１】
また、本発明は、上記発明において、１枚目に収納される紙葉類が複数のテープの間に挟まれた状態で前記ドラムに巻き取られる構成を有することを特徴とする。
【００２２】
また、本発明は、紙葉類処理装置であって、上記発明に係る紙葉類収納繰出装置を備えることを特徴とする。
【発明の効果】
【００２３】
本発明に係る紙葉類収納繰出装置によれば、突出部を設けたことにより、紙葉類を繰り出す際にドラムに巻かれた紙葉類の一部がドラムから離れて垂れ下がった場合でも、この紙葉類が入出ユニットを構成する部材に巻き込まれることを防止することができる。これにより、紙葉類収納繰出装置及び該紙葉類収納繰出装置を備える紙葉類処理装置においてジャムの発生を抑制することができる。
【図面の簡単な説明】
【００２４】
【図１】図１は、本実施形態に係る収納繰出装置の概要を説明するための模式図である。
【図２】図２は、突出部とテープの位置関係を示す模式図である。
【図３】図３は、収納繰出装置におけるジャムの発生について説明するための図である。
【図４】図４は、突出部によるジャム発生の抑制効果を説明するための図である。
【図５】図５は、紙葉類処理装置の内部構成を示す模式図である。
【図６】図６は、図５に示す紙葉類処理装置に設けられた一時保留部の構成詳細を示す側面図である。
【図７】図７は、一時保留部の３本のテープの配置及び取り回しを説明するための側面図である。
【図８】図８は、一時保留部の３本のテープの取り回しを説明するための斜視図である。
【図９】図９は、一時保留部の可動ガイドの外観を示す斜視図である。
【図１０】図１０は、図９に示す可動ガイドを上方から見た図である。
【図１１】図１１は、一時保留部のドラムに紙葉類が１枚も巻き取られてないときのドラムと可動ガイドの位置関係を示す図である。
【図１２】図１２は、一時保留部のドラムに紙葉類が巻き取られたときのドラムと可動ガイドの位置関係を示す図である。
【図１３】図１３は、スクレーパの構造を示す図である。
【図１４】図１４は、図１に示す収納繰出装置の別の構成例を示す模式図である。
【発明を実施するための形態】
【００２５】
以下、添付図面を参照しながら、本発明に係る紙葉類収納繰出装置及び紙葉類処理装置について説明する。紙葉類収納繰出装置は、紙葉類処理装置内に設けられ、紙葉類の収納及び繰り出しに利用される。
【００２６】
＜紙葉類収納繰出装置＞
まず、紙葉類収納繰出装置（以下「収納繰出装置」と記載する）の概要を説明する。図１は、収納繰出装置１００の概要を説明するための模式図である。図１は、収納繰出装置１００がドラム１１０に紙葉類３００を巻き取って収納した状態を示している。収納繰出装置１００は、ドラム１１０と、リール１２１、１２２と、案内ローラ１３１、１３２と、スクレーパ１３３と、搬送ローラ１３５、１３６と、テープ１４１、１４２と、可動ガイド（ガイド部）１５０とを備える。上側のテープ１４１は一端がドラム１１０の外周面に固定され他端がリール１２１の外周面に固定されている。下側のテープ１４２は一端がドラム１１０の外周面に固定され他端がリール１２２の外周面に固定されている。
【００２７】
ドラム１１０と、リール１２１、１２２と、案内ローラ１３１、１３２と、搬送ローラ１３５、１３６とは、軸周りに回転する円筒形状の回転体である。図１は収納繰出装置１００を側方から見た図を示しているが、ドラム１１０は、外周面に巻かれた紙葉類３００よりも図面奥行方向に長い円筒形状を有する。可動ガイド１５０も、紙葉類３００よりも図面奥行方向に長い板形状を有する。テープ１４１、１４２が巻回されたリール１２１、１２２と、テープ１４１、１４２を案内する案内ローラ１３１、１３２は、テープ１４１、１４２よりも図面奥行方向に長い円筒形状を有する。スクレーパ１３３は、搬送ローラ１３５の径方向外側にある先端部分がテープ１４１の表面と接触する。この先端部分が、テープ１４１の幅よりも長い奥行寸法を有する。
【００２８】
搬送ローラ１３５、１３６は、案内ローラ１３１、１３２の回転軸と同軸上に配置されている。搬送ローラ１３５と案内ローラ１３１とは、平面視において、並んで配置されている。搬送ローラ１３６と案内ローラ１３２とは、平面視において、並んで配置されている。搬送ローラ１３５、１３６は、ドラム１１０に巻き取られる紙葉類をテープ１４１、１４２の間に送り込む。搬送ローラ１３５、１３６は、ドラム１１０から繰り出される紙葉類をテープ１４１、１４２の間から装置外部へ送り出す。搬送ローラ１３５、１３６の直径は、案内ローラ１３１、１３２の直径より大きい。搬送ローラ１３５、１３６は、互いに外周面が接触するように配置されている。搬送ローラ１３５は搬送ローラ１３６よりも上方に配置されている。詳細には、搬送ローラ１３５の回転軸は搬送ローラ１３６の回転軸よりも上方に配置されている。搬送ローラ１３５、１３６は、ドラム１１０への紙葉類の巻取り時、及びドラム１１０からの紙葉類の繰り出し時に、紙葉類に十分な移動力を与える。
【００２９】
紙葉類を収納する際、収納繰出装置１００は、図１に示すドラム１１０を時計回りの方向（収納方向）に回転駆動する。収納繰出装置１００は、テープ１４１とテープ１４２の間に挟んだ紙葉類をテープ１４１、１４２と共にドラム１１０の外周面に巻き取って収納する。紙葉類を繰り出す際、収納繰出装置１００は、図１に示すリール１２１を反時計回りの方向（繰出方向）に回転駆動すると共にリール１２２を時計回りの方向に回転駆動する。収納繰出装置１００は、ドラム１１０の外周面に巻き取っていた紙葉類をテープ１４１、１４２と共に巻き出し、テープ１４１とテープ１４２の間に挟まれていた紙葉類を解放して繰り出す。複数枚の紙葉類を巻き取る際、紙葉類と共に巻き取ったテープ１４１、１４２の上（正確にはテープ１４２の上）に、次の紙葉類を巻き取ることになる。本実施形態で言う、ドラム１１０の外周面に巻き取るという動作は、このように複数枚の紙葉類をテープ１４２の上に重ねて巻き取る場合を含む。
【００３０】
上側の案内ローラ１３１はリール１２１から延びたテープ１４１の走行方向を回転軸周りに変更してドラム１１０に向けて案内する。下側の案内ローラ１３２はリール１２２から延びたテープ１４１の走行方向を回転軸周りに変更してドラム１１０に向けて案内する。
【００３１】
スクレーパ１３３は案内ローラ１３１の軸１３１ａ周りに回転可能に設けられている。スクレーパ１３３は、図１に矢印２０２で示すように、図示しないバネ（付勢部材）によって反時計回りの方向に付勢されている。これによりスクレーパ１３３の先端部分がテープ１４１に接触する。紙葉類を繰り出す際、ドラム１１０と案内ローラ１３１との間の領域では、繰出対象の紙葉類がテープ１４１の下側にある。この紙葉類が破れて切れ目があると、紙葉類の一部が折り返されて、折り返された部分がテープ１４１の上側に乗った状態になることがある。このような場合に、スクレーパ１３３が、紙葉類の折り返された部分を持ち上げることにより、この紙葉類が案内ローラ１３１に巻き込まれることを防いでいる。すなわち、スクレーパ１３３は、紙葉類のガイドとしての機能を有する。
【００３２】
入出ユニット１３０は、案内ローラ１３１、１３２と、スクレーパ１３３と、搬送ローラ１３５、１３６とを含む。ドラム１１０と入出ユニット１３０との間で紙葉類が入出される。具体的には、収納繰出装置１００が収納する紙葉類は、入出ユニット１３０を経てドラム１１０の外周面に巻き取られる。収納繰出装置１００が繰り出す紙葉類は、ドラム１１０の外周面から離れて入出ユニット１３０を経て装置外へ繰り出される。入出ユニット１３０は図１に示す構成に限定されず、スクレーパ１３３を含まない構成であってもよいし、さらに追加のローラを含む構成であってもよい。
【００３３】
案内ローラ１３１と案内ローラ１３２は外周面の間に隙間をあけて対向配置されている。この隙間部分とドラム１１０との間を走行するテープ１４１、１４２によって、図１に矢印２０１で示すように紙葉類が入出される。例えば、紙葉類処理装置内に設けられた搬送部と収納繰出装置１００との間で紙葉類の受け渡しが行われる。具体的には、収納繰出装置１００が搬送部から受けた紙葉類が入出ユニット１３０を経てドラム１１０に送られて収納される。ドラム１１０から入出ユニット１３０を経て送り出される紙葉類が収納繰出装置１００から搬送部へ繰り出される。
【００３４】
搬送ローラ１３５、１３６は、ドラム１１０に紙葉類が巻き取られる際、テープ１４１、１４２の間に紙葉類を送り込み、ドラム１１０から紙葉類が繰り出される際、テープ１４１、１４２の間から紙葉類を送り出す。ドラム１１０と入出ユニット１３０との間の所定領域では、搬送ローラ１３５、１３６と、テープ１４１、１４２とによって紙葉類が搬送される。
【００３５】
可動ガイド１５０は、ドラム１１０と、案内ローラ１３１と、搬送ローラ１３５との外側（下側）に設けられている。具体的には、可動ガイド１５０は、入出ユニット１３０とドラム１１０との間を走行してドラム１１０に巻き取られるテープ１４１、１４２よりドラム１１０の径方向外側に設けられている。可動ガイド１５０は、ドラム１１０に巻き取られる紙葉類及びドラム１１０から繰り出される紙葉類を、ドラム１１０の径方向外側からガイドする。すなわち、ドラム１１０と入出ユニット１３０との間で入出される紙葉類をテープ１４１、１４２の外側からガイドするガイド部として機能する。
【００３６】
可動ガイド１５０は、案内ローラ１３２の軸１３２ａ周りに回動可能に設けられている。可動ガイド１５０は、図１に矢印２０３で示すように、図示しないバネ（付勢部材）によって時計回りの方向に付勢されている。可動ガイド１５０には回転自在なローラ１５１が設けられている。バネによる付勢により、ドラム１１０の外周面に巻かれた紙葉類３００がないときにはローラ１５１の外周面がドラム１１０の外周面と接触する。ドラム１１０の外周面に紙葉類３００が巻かれているときには、ローラ１５１の外周面が、一番外側にある紙葉類３００又はテープ１４２と接触する。ドラム１１０に巻かれた紙葉類３００の枚数に応じて軸１３２ａ周りに回動する可動ガイド１５０と、ドラム１１０の外周面又は紙葉類３００との間の隙間がローラ１５１によって一定に保たれる。
【００３７】
可動ガイド１５０には突出部１５２が設けられている。突出部１５２は、入出ユニット１３０とドラム１１０との間の所定領域に形成されている。突出部１５２は、この所定領域において、搬送される紙葉類よりも上方に突出する。また、突出部１５２は、この所定領域において搬送されるテープ１４２よりも上方に突出する。突出部１５２は、可動ガイド１５０が紙葉類をガイドするガイド面から、入出ユニット１３０とドラム１１０との間を走行するテープ１４１、１４２のある側に突出した形状（例えば三角形）に形成されている。突出部１５２は、板状に形成されている。突出部１５２は、紙葉類が突出部１５２に接触した際に、紙葉類の突出部１５２と接触した部分を上方に押し上げるよう機能する。
【００３８】
ドラム１１０に巻かれた紙葉類は、ドラム１１０と共に回転する際に、突出部１５２により上方にガイドされた後、さらにスクレーパ１３３によって上方にガイドされる。すなわち、突出部１５２及びスクレーパ１３３は、ドラム１１０と共に回転する紙葉類をガイドするガイドとして機能する。
【００３９】
突出部１５２は、ドラム１１０に巻かれたテープ１４１、１４２の長さに応じて、ドラム１１０の径方向に移動可能に設けられている。すなわち、可動ガイド１５０は、ドラム１１０に巻かれたテープの量に応じて軸１３２ａ周りに回動する。突出部１５２は可動ガイド１５０と共に回動する。突出部１５２は、ドラム１１０に巻かれた紙葉類３００の枚数によらず、少なくとも一部の領域が図１に示すように入出ユニット１３０とドラム１１０との間にあるテープ１４１、１４２よりも上側となるように形成されている。ドラム１１０と入出ユニット１３０との間を走行するテープ１４１、１４２は常に側面が山型形状の突出部１５２の頂部より下側、すなわち可動ガイド１５０のガイド面に近い位置を走行する。言い換えると、突出部１５２は、入出ユニット１３０とドラム１１０との間の所定領域において、走行するテープ１４１、１４２より上方に突出している。ドラム１１０の回転軸方向から見て突出部１５２とテープ１４１（１４２）とが重なる領域で、突出部１５２は紙葉類よりも上方に突出する。言い換えると、テープ１４１（１４２）が、突出部１５２の頂部より下側を走行する。
【００４０】
図１に示した点Ｐ１〜Ｐ３について説明する。点Ｐ１は、紙葉類がドラム１１０から入出ユニット１３０に向けて繰り出される際、紙葉類がドラム１１０から離間する離間点である。点Ｐ２は、搬送ローラ１３５の外周面及び搬送ローラ１３６の外周面の接点である。点Ｐ３は、突出部１５２の頂部（頂点）を示す。点Ｐ３は、点Ｐ１と点Ｐ２とを繋いだ線分より上方にある。また、点Ｐ３は、テープ１４１、１４２よりも上方にある。紙葉類は点Ｐ１と点Ｐ２とを繋いだ線分に沿って搬送される。
【００４１】
図２は、突出部１５２とテープ１４１の位置関係を示す模式図である。図２は、図１に示す突出部１５２及びテープ１４１を、収納繰出装置１００から繰り出される紙葉類の繰出方向（図１右側）から見た図を示している。図２に示すように、突出部１５２は、可動ガイド１５０のガイド面から突出した薄板形状を有する。例えば、突出部１５２は、テープ１４１の幅方向両側に１つずつ設けられている。例えば、突出部１５２はテープ１４１を挟んで対称に配置される。
【００４２】
紙葉類の収納時及び繰出時に突出部１５２に乗り上げて通過する紙葉類に折り目や皺が生じないように、突出部１５２は配置位置及び形状を調整して設けられている。例えば、幅約１３ｍｍのテープ１４１に対して、図２に示すテープ１４１の上面と突出部１５２の頂部との間の寸法ａを約２〜３ｍｍ、突出部１５２の幅ｂを約５ｍｍ、テープ１４１の幅方向縁部と突出部１５２との間の距離ｃを５ｍｍ以上に設定する。これらの寸法ａ〜ｃは、収納繰出対象とする紙葉類の大きさや材質に応じて適宜設定される。
【００４３】
図３は、収納繰出装置１００におけるジャムの発生について説明するための図である。図３（ａ）はジャムの原因となる紙葉類３０２（３０２ａ、３０２ｂ）を示している。図３（ｂ）は突出部１５２を有さない従来装置でジャムが発生する際の様子を示している。
【００４４】
図３（ａ）ではテープ１４１、１４２の図示を省略しているが、紙葉類の繰出時、ドラム１１０の外周面に巻かれていた紙葉類３０１がテープ１４１、１４２と共に矢印２０１で示す方向へ繰り出される。繰出対象外の紙葉類、すなわちテープ１４１、１４２と共にドラム１１０の外周面に巻かれている紙葉類３０２は、ドラム１１０の回転に伴って矢印２０４で示すように上方向へ移動する。
【００４５】
ドラム１１０に巻かれた紙葉類３０２が移動方向前方側に破れて切れ目があると、図３（ａ）に示すように、テープ１４１、１４２で押さえられた領域３０２ａがドラム１１０の外周面に沿う一方で、切れ目から先の領域３０２ｂ（以下「切れ部分３０２ｂ」と記載する）が外周面から剥がれたように垂れ下がる場合がある。切れ目が長いほど切れ部分３０２ｂが大きく垂れ下がる。
【００４６】
図３（ｂ）に示すように切れ部分３０２ｂが、例えば繰出対象の紙葉類３０１と共に移動して、スクレーパ１３３とテープ１４１との間に入り込むことがある。切れ部分３０２ｂが紙葉類３０１と共に移動する場合に限らず、ドラム１１０と共に回転する間に切れ部分３０２ｂがスクレーパ１３３とテープ１４１との間に入り込むこともある。切れ部分３０２ｂが入り込む部分についてもスクレーパ１３３とテープ１４１との間に限らず、スクレーパ１３３、テープ１４１、１４２、案内ローラ１３１、１３２、搬送ローラ１３５、１３６のいずれかの組合せの間に入り込むこともある。切れ部分３０２ｂが、スクレーパ１３３、テープ１４１、１４２、案内ローラ１３１、１３２、搬送ローラ１３５、１３６のいずれかに巻き込まれることもある。このように、切れ部分３０２ｂが、入出ユニット１３０やテープ１４１、１４２に巻き込まれたり、複数の部材の間に入り込んだりすることがジャムの発生原因となる。
【００４７】
収納繰出装置１００は、可動ガイド１５０のガイド面に突出部１５２を設けることによりジャムの発生を抑制する。図４は、突出部１５２によるジャム発生の抑制効果を説明するための図である。図４（ａ）は図３（ｂ）に対応する図である。図４（ｂ）は、図４（ａ）に示す紙葉類３０１、切れ部分３０２ｂ及び突出部１５２を図４（ａ）に示す案内ローラ１３１側から見た図である。
【００４８】
入出ユニット１３０を通過して装置外へ繰り出される紙葉類３０１には、図４（ａ）に示す実線矢印２０１の方向に力が作用する。紙葉類３０１は、リール１２１、１２２に巻き取られるテープ１４１、１４２と共に矢印２０１の方向に送り出される。このため、ドラム１１０から繰り出される紙葉類３０１は、テープ１４１、１４２の間に配置された状態でテープ１４１、１４２と共に繰出方向へ移動する。紙葉類３０１は、繰り出される途中で図４（ｂ）に示すように突出部１５２に乗り上げるが、破線矢印２０１ａの方向へと移動し、さらに実線矢印２０１の方向に移動する。紙葉類３０１は、入出ユニット１３０を構成するスクレーパ１３３の下方を通過し、搬送ローラ１３５、１３６により収納繰出装置１００から搬送部へ繰り出される。
【００４９】
ドラム１１０に巻かれた紙葉類３０２（３０２ａ、３０２ｂ）は、ドラム１１０と共に回転する。紙葉類３０２には、図４（ａ）に矢印２０４で示すように、ドラム１１０の回転方向に力が作用する。このため、ドラム１１０の外周面から離れた紙葉類３０２の切れ部分３０２ｂも、図４（ｂ）に示すように突出部１５２に乗り上げた後、図４（ａ）に破線矢印２０４ａで示すようにドラム１１０の回転に伴って上方へ移動する。紙葉類３０２は、入出ユニット１３０から繰り出されるまでの間に少なくとも１周以上回転することになる。
【００５０】
このように、繰出対象外の紙葉類３０２が切れ部分３０２ｂを有する場合でも、切れ部分３０２ｂは、突出部１５２によって上方にガイドされる。紙葉類３０１は繰出方向へ進み、切れ部分３０２ｂは紙葉類３０１から離れてドラム１１０と共に回転する。すなわち、ドラム１１０に巻かれた紙葉類は、突出部１５２により上方にガイドされた後、さらにスクレーパ１３３によって上方にガイドされる。これにより、ドラム１１０に巻かれた紙葉類３０２の一部である切れ部分３０２ｂが、スクレーパ１３３とテープ１４１の間へ巻き込まれたり、案内ローラ１３１へ巻き込まれたりすることを防止することができる。
【００５１】
図３（ｂ）に示したように突出部１５２を設けない場合、ドラム１１０に巻かれた紙葉類３０２の切れ部分３０２ｂの先端は、テープ１４１の上面に沿って直線的に移動して、スクレーパ１３３の先端がテープ１４１の上面に接触する位置へ到達する。これに対して図４（ａ）に示すように突出部１５２を設けた場合、切れ部分３０２ｂは下方から突出部１５２によって支持された状態となる。切れ部分３０２ｂの先端は突出部１５２の上面に沿って移動するため、直線的に移動する場合に比べると、スクレーパ１３３の先端位置へ到達するまでの移動距離が長くなる。具体的には、図１に示す点Ｐ１からテープ１４１に沿って点Ｐ２に至る直線距離に対して、点Ｐ１からテープ１４１に沿って直線移動した後、突出部１５２の周縁部に沿って頂部の点Ｐ３を経て移動し、再びテープ１４１に沿って直線移動して点Ｐ２へと至るまでの距離の方が長い。
【００５２】
移動距離が長くなる分だけ移動時間が長くなる。切れ部分３０２ｂの先端がスクレーパ１３３の方へ移動する間もドラム１１０は回転しているので、移動時間が長くなった分だけ切れ部分３０２ｂの根元部分が、ドラム１１０の回転に伴って上方へ移動する。この結果、切れ部分３０２ｂの先端がスクレーパ１３３の先端位置へ到達するより前に、切れ部分３０２ｂの先端がテープ１４１から離れて上方へ持ち上げられ、切れ部分３０２ｂがスクレーパ１３３に巻き込まれることを防ぐことができる。
【００５３】
可動ガイド１５０のガイド面から上方に突出した突出部１５２には、切れ部分３０２ｂの先端がスクレーパ１３３の方へ移動する際の障害物となって、切れ部分３０２ｂの先端がスクレーパ１３３へ到達することを阻止する効果もある。
【００５４】
収納繰出装置１００は、テープ１４１、１４２が巻回されているリール１２１、１２２を備える。収納繰出装置１００は、巻取方向に回転することにより、リール１２１、１２２に巻回されたテープ１４１、１４２を紙葉類と共に巻き取ってテープの多層部を形成すると共に、繰出方向に回転することにより、テープ１４１、１４２をリール１２１、１２２に巻き戻して多層部に巻き取られている紙葉類を繰り出すドラム１１０を備える。収納繰出装置１００は、ドラム１１０の回転軸方向から見てドラム１１０の側方に配置され、テープ１４１、１４２に接触した紙葉類のドラム１１０に対する入出領域を形成する入出ユニット１３０を備える。収納繰出装置１００は、ドラム１１０の周囲に配置された可動ガイド（ガイド部）１５０を備える。可動ガイド１５０は、ドラム１１０にリール１２１、１２２からテープ１４１、１４２を巻き取る際又はリール１２１、１２２にドラム１１０からテープ１４１、１４２を巻き戻す際に、テープ１４１、１４２をガイドする。可動ガイド１５０は、繰出方向に回転するドラム１１０から紙葉類が繰り出されている際、多層部に保持されている紙葉類を下方から支持する突出部１５２を有する。
【００５５】
突出部１５２は、ドラム１１０の回転軸線が延びる方向から見て、ドラム１１０と入出ユニット１３０との間の位置に配置されている。ドラム１１０の多層部が一部に切れ込みがある紙葉類（特定紙葉類）を保持している場合、突出部１５２は、回転するドラム１１０の多層部に保持されている特定紙葉類を下方から支持する。
【００５６】
紙葉類がドラム１１０から入出ユニット１３０に向けて繰り出される際、紙葉類は、ドラム１１０から離間する点Ｐ１（離間点）でドラム１１０から離れる。入出ユニット１３０は、入出ユニット１３０におけるドラム近接部以外の部分より点Ｐ１（離間点）に近いドラム近接部を有している。ドラム近接部は、入出ユニット１３０におけるドラム１１０に最も近い位置を示す。突出部１５２は、ドラム１１０から紙葉類が繰り出されている際、回転するドラム１１０（多層部）に保持されている紙葉類を、ドラム近接部よりドラム１１０に近い位置で下方から支持する。この場合、入出ユニット１３０における、ドラム近接部はスクレーパ１３３の先端であるが、これは一例である。入出ユニット１３０の構成によっては入出ユニット１３０のドラム近接部がスクレーパ１３３以外の部材であることもある。例えば、入出ユニット１３０のドラム近接部は、テープを搬送するローラ（プーリ）である場合もあれば、紙葉類を搬送するローラである場合もある。
【００５７】
このような突出部１５２を設けることによって、ドラム１１０と共に回転する紙葉類が上方にガイドされ、入出ユニット１３０に入り込むことを抑制することができる。突出部１５２は、切れ部分３０２ｂの先端がスクレーパ１３３に近付くことを妨げるように機能する。突出部１５２は、切れ部分３０２ｂの先端がスクレーパ１３３に近付く迄の移動距離を長くして、スクレーパ１３３を含む入出ユニット１３０に巻き込まれるより前に、ドラム１１０の回転に伴って切れ部分３０２ｂを上方へ移動させるように機能する。突出部１５２は、繰出方向へ送り出される紙葉類３０１と自由に移動できる切れ部分３０２ｂとを分離するように機能する。
【００５８】
なお、図１には２本のテープ１４１、１４２に挟まれた紙葉類を入出ユニット１３０からドラム１１０に搬送してドラム１１０に巻き取る例を示したが、テープの本数や配置はこれに限定されない。例えば、１本のテープの上に紙葉類を配置した状態で入出ユニット１３０からドラム１１０に搬送してドラム１１０に巻き取る構成であってもよい。すなわち、ドラム１１０が、１枚目の紙葉類をドラム１１０の外周面とテープとの間に挟んだ状態で巻き取り、２枚目以降の紙葉類は、先に巻き取った紙葉類の上に重ねて外側からテープで押さえるようにして巻き取る態様であってもよい。
【００５９】
図２では、テープ１４１の幅方向両側に１つずつ突出部１５２を設ける態様を示したが、片側だけに突出部１５２を設ける態様であってもよい。また、テープ１４１の片側に複数の突出部１５２を設ける態様であってもよい。例えば、図１の図面奥行方向に複数のテープを設ける場合、各テープの両側に１つずつ突出部１５２を設ける態様であってもよいし、隣接する２本のテープの間に１つずつ突出部１５２を設ける態様であってもよい。突出部１５２の数は適宜変更可能である。
【００６０】
＜収納繰出装置を備える紙葉類処理装置＞
次に、収納繰出装置及び該収納繰出装置を備える紙葉類処理装置の具体的な構成例を説明する。図５〜図１３は、紙葉類処理装置１０と、この紙葉類処理装置１０の装置内に設けられた収納繰出装置４０を説明するための図である。紙葉類処理装置１０は、収納繰出装置４０を一時保留部として利用するため、以下、収納繰出装置４０を一時保留部４０と記載する。
【００６１】
図６、及び図９〜図１２に示した突出部８７は、図１に示した突出部１５２と同様の機能を有する。図６〜図１３に示す例では、入出ユニット２３０は、案内ローラ５０、５２と、搬送ローラ５１ａ、５１ｂと、スクレーパ９６とを含んでいる。
【００６２】
まず、紙葉類処理装置１０の全体の構成について説明する。図５は、紙葉類処理装置１０の内部構成を示す模式図である。図５に示すように、紙葉類処理装置１０は、略直方体形状の筐体１２を備える。筐体１２の前面（図面左側）には、筐体１２の外部から内部に紙葉類を投入したり、筐体１２の内部から外部に紙葉類を投出したりするための入出金部１４が設けられている。
【００６３】
入出金部１４には、当該入出金部１４に積層状態で投入された複数の紙葉類を１枚ずつ筐体１２の内部に繰り出すための第１繰出機構１６が設けられている。入出金部１４には紙葉類を１枚ずつ搬送する搬送部２０が接続されている。第１繰出機構１６により入出金部１４から繰り出された紙葉類は搬送部２０により１枚ずつ搬送される。入出金部１４には第１繰出機構１６とは別に第２繰出機構１８が設けられている。第２繰出機構１８により搬送部２０から入出金部１４に戻された紙葉類を再び搬送部２０に繰り出すことができる。
【００６４】
入出金部１４には、第１繰出機構１６に向かう方向と、第１繰出機構１６から遠ざかる方向（すなわち第２繰出機構１８に向かう方向）との両方向に移動可能な仕切部材１４ａが設けられている。仕切部材１４ａにより、入出金部１４は、第１繰出機構１６側の投入口と、第２繰出機構１８側の投出口とに区切られる。
【００６５】
搬送部２０の途中箇所には、搬送部２０により搬送される紙葉類の識別を行う識別部２２が設けられている。識別部２２はイメージセンサを有する。識別部２２は、イメージセンサにより取得した紙葉類の画像に基づいて、当該紙葉類を識別する。例えば、紙葉類の種類（紙葉類の場合は金種）、真偽、正損が識別される。
【００６６】
図５に示すように、搬送部２０には一時保留部（収納繰出装置）４０が接続されている。一時保留部４０は、搬送部２０から送られた紙葉類を１枚ずつ収納すると共に、収納した紙葉類を１枚ずつ搬送部２０に繰り出す。第１繰出機構１６により入出金部１４から搬送部２０に繰り出された紙葉類は、識別部２２により識別される。識別された紙葉類は、搬送部２０により一時保留部４０に送られて一時的に保留される。
【００６７】
搬送部２０には、搬送される紙葉類を搬送路の幅方向中央位置等の所定位置に寄せるための幅方向位置合わせ部２４が設けられている。一時保留部４０から搬送部２０に繰り出された紙葉類は幅方向位置合わせ部２４により搬送路幅方向における位置が中央位置等の所定位置に寄せられる。
【００６８】
搬送部２０には、識別部２２により偽券であると識別された紙葉類や真偽が不確定であると識別された紙葉類が収納される偽券収納部２６が接続されている。
【００６９】
識別部２２により正常な紙葉類ではないと識別されたリジェクト紙葉類を搬送部２０により入出金部１４（厳密には、仕切部材１４ａよりも第２繰出機構１８側の投出口）に戻すことができる。入出金部１４は仕切部材１４ａにより投入口及び投出口に区切られている。搬送部２０から入出金部１４に戻された紙葉類は、第１繰出機構１６により搬送部２０に繰り出されるべき紙葉類が集積される箇所とは別の箇所に集積される。
【００７０】
搬送部２０には複数の紙葉類収納繰出部３０が接続されている。各紙葉類収納繰出部３０は搬送部２０から送られた紙葉類を積層状態で収納する。各紙葉類収納繰出部３０には繰出機構３１が設けられている。各紙葉類収納繰出部３０に収納された紙葉類を繰出機構３１により搬送部２０に繰り出すことができる。紙葉類収納繰出部３０は、概ねリサイクル用に用いられる。すなわち、紙葉類の出金処理時には、入金処理時に各紙葉類収納繰出部３０に収納された紙葉類が、繰出機構３１により搬送部２０に繰り出されて入出金部１４に送られる。
【００７１】
搬送部２０には複数の紙葉類収納繰出部３２が接続されている。各紙葉類収納繰出部３２は搬送部２０から送られた紙葉類を積層状態で収納する。各紙葉類収納繰出部３２には繰出機構３３が設けられている。各紙葉類収納繰出部３２に収納された紙葉類を繰出機構３３により搬送部２０に繰り出すことができる。紙葉類収納繰出部３２は、概ね入金専用に用いられる。
【００７２】
次に、一時保留部４０の構成について説明する。一時保留部４０は、並列に設けられた３本の帯状のテープ９０、９２、９４をドラム４２に巻き取ることによって複数の紙葉類を１枚ずつドラム４２に収納する。また、一時保留部４０は、ドラム４２から各テープ９０、９２、９４を巻き出すことによって紙葉類を１枚ずつドラム４２から繰り出す。
【００７３】
図６は、一時保留部４０の構成詳細を示す側面図である。図６（ａ）は、一時保留部４０のドラム４２に紙葉類が１枚も巻き取られていないときの状態を示す図である。図６（ｂ）は、一時保留部４０のドラム４２に紙葉類が巻き取られたときの状態を示す図である。図７は、一時保留部４０の３本のテープ９０、９２、９４の配置及び取り回しを説明するための側面図である。図７（ａ）は、一時保留部４０の３本のテープ９０、９２、９４のうち中央のテープ９２の走行経路を示す図である。図７（ｂ）は、一時保留部４０の３本のテープ９０、９２、９４のうち両外側のテープ９０、９４の走行経路を示す図である。図８は、一時保留部４０の３本のテープ９０、９２、９４のテープの取り回しを説明するための斜視図である。
【００７４】
図６及び図７に示すように、一時保留部４０は、回転自在に設けられたドラム４２と、３本の帯状のテープ９０、９２、９４と、軸５８ａ周りに回転自在に設けられリール５８とを有している。各テープ９０、９２、９４は一端がドラム４２の外周面に接続され、他端がリール５８の外周面に接続されている。各テープ９０、９２、９４は、ドラム４２の軸４２ａの延びる方向に沿って並ぶよう配置されている。
【００７５】
ドラム４２は軸４２ａを中心として時計回りの方向及び反時計回りの方向の両方に回転することができる。搬送部２０（図５参照）から一時保留部４０に送られた紙葉類をドラム４２に収納する際には、ドラム４２が図面反時計回りの方向に回転し、紙葉類が各テープ９０、９２、９４と共にドラム４２に巻き取られる。ドラム４２に収納された紙葉類を搬送部２０に繰り出す際には、ドラム４２が図面時計回りの方向に回転し、ドラム４２から各テープ９０、９２、９４を巻き出すことによって、これらのテープ９０、９２、９４から解放された紙葉類が搬送部２０に繰り出される。紙葉類は、短手方向に沿って搬送される。
【００７６】
図６に示すように、一時保留部４０には、ドラム４２を回転駆動する駆動モータ６４が設けられている。一時保留部４０には、各テープ９０、９２、９４を案内するための案内ローラ５２、５４と、紙葉類を搬送するための搬送ローラ５１ａ、５１ｂとが設けられている。搬送ローラ５１ａは、案内ローラ５０の回転軸と同軸上に配置されている。搬送ローラ５１ｂは、案内ローラ５２の回転軸と同軸上に配置されている。搬送ローラ５１ａと搬送ローラ５１ｂは外周面を接触した状態で対向配置されている。図７及び図８では搬送ローラ５１ａ、５１ｂを省略しているが、搬送ローラ５１ａ、５１ｂは、図８に示す案内ローラ５２の回転軸方向において、３つの案内ローラ５２の間に配置されている。すなわち、１対の搬送ローラ５１ａ、５１ｂが２組設けられている。
【００７７】
案内ローラ５２、５４によりドラム４２とリール５８との間で各テープ９０、９２、９４が案内される。一時保留部４０には、案内ローラ５２、５４に加えて、３本のテープ９０、９２、９４のうち両外側の各テープ９０、９４を案内するための案内ローラ５０、５６が設けられている。案内ローラ５０、５６により各テープ９０、９４が案内される。図６及び図７に示すように、一時保留部４０には、案内ローラ５０及び案内ローラ５６の軸を支持する略三角形形状の支持板５７が設けられている。
【００７８】
図７（ａ）及び図８に示すように、３本のテープ９０、９２、９４のうち中央のテープ９２は、ドラム４２とリール５８との間で案内ローラ５２、５４により案内される。ドラム４２が図面反時計回りの方向に回転すると、リール５８から送り出されたテープ９２が案内ローラ５４及び案内ローラ５２を順に経てドラム４２に巻き取られる。リール５８が図面時計回りの方向に回転すると、ドラム４２から送り出されたテープ９２が案内ローラ５２及び案内ローラ５４を順に経てリール５８に巻き取られる。
【００７９】
図７（ｂ）及び図８に示すように、３本のテープ９０、９２、９４のうち両外側のテープ９０、９４はそれぞれドラム４２とリール５８との間で案内ローラ５２、５４により案内されると共に、ドラム４２の周囲で案内ローラ５０、５６により案内される。ドラム４２が図面反時計回りの方向に回転すると、リール５８から送り出された各テープ９０、９４が案内ローラ５４及び案内ローラ５２を順に経てドラム４２の約半周分だけ当該ドラム４２に巻かれる。さらに、各テープ９０、９４は案内ローラ５６及び案内ローラ５０を順に経てドラム４２に巻き取られる。搬送部２０から一時保留部４０に送られた紙葉類は、案内ローラ５０、５２の間を通過して、一対のテープ９０の間に挟まれかつ一対のテープ９４の間に挟まれる。この紙葉類は、各テープ９０、９４に挟まれた状態で各テープ９０、９４ごとドラム４２に巻き取られる。リール５８が図面時計回りの方向に回転するとドラム４２から送り出された各テープ９０、９４が案内ローラ５０及び案内ローラ５６を順に経てドラム４２の約半周分だけ当該ドラム４２に巻かれる。さらに、各テープ９０、９４は案内ローラ５４及び案内ローラ５２を順に経てリール５８に巻き取られる。
【００８０】
図６に示すように、リール５８には、当該リール５８と同期して回転する検知板６０が取り付けられている。検知板６０は各テープ９０、９２、９４に対応して３つ設けられる。各検知板６０の近傍には、当該検知板６０の回転量を検知するフォトインタラプタ６２が設けられている。検知板６０には複数の貫通穴６０ａが設けられている。フォトインタラプタ６２は検知板６０の外周縁を挟んで配置された発光素子及び受光素子を有している。検知板６０が回転すると、検知板６０に設けられた各貫通穴６０ａにより、フォトインタラプタ６２における発光素子と受光素子との間の光軸が断続的に透光される。透光状態及び遮光状態の切り替わりの回数（パルス数）に基づいてフォトインタラプタ６２は検知板６０の回転量を検知する。
【００８１】
図６に示すように、一時保留部４０には、搬送部２０から一時保留部４０に送られた紙葉類をドラム４２に案内したり、ドラム４２から繰り出された紙葉類を搬送部２０に案内したりするための案内ローラ６５、６６、６７、６８が設けられている。また、一時保留部４０には、搬送ローラ５１ａ、５１ｂが設けられている。一対の案内ローラ６５、６６は、その外周面が互いに接触するよう対向配置されている。一対の案内ローラ６７、６８は、その外周面が互いに接触するよう対向配置されている。搬送部２０から一時保留部４０に送られた紙葉類は、一対の案内ローラ６５、６６の間を通過する。その後、紙葉類は、一対の案内ローラ６７、６８の間を通過する。その後、紙葉類は、案内ローラ５０、５１の間、及び搬送ローラ５１ａ、５１ｂの間を通過し、各テープ９０、９２、９４と共にドラム４２に巻き取られる。ドラム４２が図面時計回りの方向に回転すると、各テープ９０、９２、９４がドラム４２からリール５８に巻き戻される。これにより、テープ９０、９２、９４から紙葉類が放出される。放出された紙葉類は一対の案内ローラ６７、６８の間を通過し、次に一対の案内ローラ６５、６６の間を通過した後、搬送部２０に繰り出される。
【００８２】
図６に示すように、ドラム４２の周縁部には、ドラム４２に巻かれた各テープ９０、９２、９４を囲むように可動ガイド８２が設けられている。可動ガイド８２は、案内ローラ５２の軸８３を中心として回転する。軸８３を中心として可動ガイド８２を反時計回りの方向に付勢する付勢部材として図示しないバネが設けられている。可動ガイド８２には、ドラム４２に巻かれた紙葉類を当該ドラム４２の軸４２ａ側に向かって押圧するベアリング（ローラ）８４が設けられている。付勢部材によって可動ガイド８２が軸８３を中心として図面反時計回りの方向に付勢されることにより、ベアリング８４が上方向に押圧される。ドラム４２に巻かれた紙葉類はベアリング８４によってドラム４２の軸４２ａ側に向かって押圧される。ドラム４２に巻き取られた紙葉類が繰り出されて、ドラム４２の外周面に巻かれた各テープ９０、９２、９４の外部径が小さくなってもベアリング８４は常にドラム４２に巻かれた紙葉類に接触する。この可動ガイド８２上に、複数の突出部８７が設けられているが詳細は後述する。
【００８３】
図６に示すように、一時保留部４０には、案内部８０、８５が設けられている。案内部８５は可動ガイド８２上に形成されている。案内部８０、８５は、ドラム４２の回転軸方向に沿って並ぶ複数のテープ９０、９２、９４それぞれに対応して設けられている。図６では案内部８０、８５を斜線で示している。
【００８４】
案内部８０はドラム４２の上方に配置されている。案内部８０は、ドラム４２の回転軸方向における位置が、３本のテープ９０、９２、９４のうち中央のテープ９２に対向する位置に設けられている。案内部８０はドラム４２の軸４２ａと平行に延びる軸８１を中心として回転自在に設けられている。案内部８０の自重により案内部８０の先端部分がドラム４２に巻かれたテープ９２に接触する。ただし、案内部８０の自重により先端部分がテープ９２に接触する代わりに、図示しないバネ等の付勢部材によって案内部８０の先端部分をドラム４２側に付勢してもよい。
【００８５】
案内部８５は、３本のテープ９０、９２、９４のうち両外側の２本のテープ９０、９４それぞれに対向して可動ガイド８２上に形成されている。すなわち、ドラム４２の回転軸方向における２つの案内部８５の位置がそれぞれテープ９０、９４に対向する位置となっている。図９は、可動ガイド８２の外観を示す斜視図である。図１０は、可動ガイド８２を上方から見た図である。２つの案内部８５より幅方向外側に、紙葉類を収納する際にドラム４２に巻き取られる紙葉類を案内する追加案内部８６が設けられている。
【００８６】
２つの案内部８５はそれぞれ追加案内部８６からドラム４２側に向かって突出するよう配設されている。各案内部８５の案内面８５ａは、ドラム４２に巻かれた各テープ９０、９４の表面とわずかな隙間を隔ててこれらのテープ９０、９４に対向する。
【００８７】
図６に示すように、案内部８５が設けられた可動ガイド８２は、ドラム４２に収納された紙葉類の量に応じて軸８３を中心として回動する。可動ガイド８２に設けられたベアリング８４はドラム４２に巻かれた紙葉類に当接する。バネ等の付勢部材によって、可動ガイド８２は軸８３を中心として図面反時計回りの方向に押圧される。このため、ドラム４２に巻かれた紙葉類の量が多い場合でも少ない場合でも、各案内部８５の案内面８５ａとドラム４２に巻かれた各テープ９０、９４の表面との間にわずかな隙間が形成される。
【００８８】
図９に示すように、可動ガイド８２には４つの突出部８７が配設されている。各突出部８７は同一形状を有し、ドラム４２の回転軸方向から見た場合に４つの突出部８７が重なるように位置を調整して配設されている。各突出部８７は薄板形状を有し、各突出部８７を側方から見た形状は頂部を曲面とする山型形状になっている。
【００８９】
図１０には各テープ９０、９２、９４の位置を破線で示している。図１０に示すように、ドラム４２の回転軸方向（テープの幅方向）において、テープ９４の外側（図面左側）の位置、テープ９４とテープ９２の間の位置、テープ９２とテープ９０の間の位置、テープ９０の外側（図面右側）の位置の４箇所に突出部８７が配置されている。すなわち、テープ９０の幅方向両外側に２つの突出部８７が１つずつ設けられ、テープ９４の幅方向両外側に２つの突出部８７が１つずつ設けられている。
【００９０】
図１１は、ドラム４２に紙葉類が１枚も巻き取られてないときのドラム４２と可動ガイド８２の位置関係を示す図である。図１２は、ドラム４２に紙葉類３０３が巻き取られたときのドラム４２と可動ガイド８２の位置関係を示す図である。図１１は図６（ａ）に対応し、図１２は図６（ｂ）に対応している。なお、突出部８７の数は適宜変更できる。
【００９１】
可動ガイド８２のガイド面から突出した突出部８７は、山型の側面形状を形成する周縁部のうちガイド面から最も離れた頂部の位置がテープ９０、９４よりも上側となるように設けられている。図１１に示すように、ドラム４２に巻き取られた紙葉類がない状態で、各突出部８７の少なくとも一部が、案内ローラ５０とドラム４２との間を走行するテープ９０、９４よりもガイド面から離れた位置にある。図１２に示すように、紙葉類３０３がドラム４２に巻き取られて、可動ガイド８２が軸８３周りに回動した状態でも、各突出部８７の少なくとも一部が、ドラム４２に巻き取られた紙葉類３０３と案内ローラ５０との間を走行するテープ９０、９４よりも、ガイド面から離れた位置にある。すなわち、ドラム４２に巻かれた紙葉類の枚数によらず、山型の側面形状を有する突出部８７の頂部よりガイド面に近い位置をテープ９０、９４が走行する。すなわち、ドラム４２に巻かれた紙葉類の枚数によらず、入出ユニット２３０ とドラム４２との間の所定領域では、突出部８７の頂部がテープ９０、９４よりも上方にある。
【００９２】
案内ローラ５０の近傍には、スクレーパ９６が設けられている。スクレーパ９６は、案内ローラ５０の回転軸方向において、各テープ９０、９４に対応する位置に設けられている。スクレーパ９６は、案内ローラ５０の軸を中心として回転自在に設けられている。スクレーパ９６の軸には、図示しないねじりバネ等の付勢部材が設けられている。この付勢部材によりスクレーパ９６は図面時計回りの方向に付勢される。これによりスクレーパ９６の先端は、ドラム４２に巻かれた紙葉類の量が多い場合でも少ない場合でも、ドラム４２と案内ローラ５０との間にある各テープ９０、９４と常に接触する。
【００９３】
図１３は、スクレーパ９６の構造を示す図である。図１３（ａ）〜（ｃ）はそれぞれスクレーパ９６の斜視図、側面図、正面図である。図１３に示すように、スクレーパ９６の先端には直線部９６ａが形成されている。テープ９０、９４の幅方向に延びるスクレーパ９６の頂部が直線部９６ａである。紙葉類の収納時及び繰出時には、図１３（ａ）に示すように直線部９６ａがテープ９０、９４の上面と接触する。図１３（ａ）に示すように、ドラム４２の回転軸方向、すなわちテープ９０、９４の幅方向における直線部９６ａの幅ｄは、テープ９０、９４の幅ｅより小さい（ｄ＜ｅ）。直線部９６ａの両外側は側面の曲線部９６ｂと接続されている。曲線部９６ｂの一部もテープ９０、９４の上面と接触する。
【００９４】
図１３（ｂ）に示すように、スクレーパ９６は、曲線部９６ｂがテープ９０、９４の上面と略平行となるように配置される。厳密には、スクレーパ９６の直線部９６ａをテープ９０、９４表面に接触させた場合、直線部９６ａから離れた後方位置、すなわち直線部９６ａから図１３（ｂ）右方向に離れた位置で、テープ９０、９４の上面が曲線部９６ｂより僅かに高い位置となる。このため、スクレーパ９６の直線部９６ａがテープ９０、９４の表面に確実に接触する。直線部９６ａから後方の位置ではテープ９０、９４の断面が徐々に湾曲する。具体的には、図１３（ｃ）に破線で示すようにテープ９０、９４の幅方向中央が両外側より僅かに高い湾曲形状となる。
【００９５】
このように、スクレーパ９６の先端部分をテープ９０、９４に確実に接触させることで、ドラム４２に巻かれた紙葉類の一部がスクレーパ９６側へ垂れ下がった場合でも、この紙葉類の一部がスクレーパ９６とテープ９０、９４との間に入り込むことを防止することができる。
【００９６】
一時保留部４０は、テープ９０、９４が巻回されているリール５８を備える。一時保留部４０は、ドラム４２が巻取方向に回転することにより、リール５８から巻き取ったテープ９０、９４と共に紙葉類を巻き取る。一時保留部４０は、ドラム４２にテープ９０、９４の多層部を形成する。ドラム４２が繰出方向に回転することにより、テープ９０、９４をリール５８に巻き戻してテープ９０、９４の多層部から紙葉類を繰り出す。一時保留部４０は、テープ９０、９４をガイドする案内ローラ５６を備える。入出ユニット２３０は、テープ９０、９４をガイドする案内ローラ５０、５２を含んでいる。テープ９０、９４は、ドラム４２と案内ローラ５６との間の領域において、テープ９０、９４の多層部と多層部ではない非多層部とが離間することにより空間が形成されるように配置されている。突出部８７は、繰出方向に回転するドラム４２から紙葉類が繰り出されている際、回転するテープ９０、９４の多層部に保持されている紙葉類を下方から支持する。
【００９７】
一時保留部４０は、テープ９０、９４が巻回されているリール５８の回転軸と同軸上に配置され、テープ９２が巻回されているリール５８を備える。一時保留部４０は、巻取方向に回転することにより、テープ９２が巻回されているリール５８から巻き取ったテープ９２と共に紙葉類を巻き取り、テープ９２の多層部を形成すると共に、繰出方向に回転することにより、テープ９２をリール５８に巻き戻してテープ９２の多層部から紙葉類を繰り出すドラム４２を備える。一時保留部４０は、テープ９２をガイドする案内ローラ５２を含み、繰出方向に回転するドラム４２から紙葉類が繰り出されている際、回転するテープ９２の多層部に保持されている紙葉類を下方から支持する突出部８７を備える。
【００９８】
このように、一時保留部４０に突出部８７を設けることによって、ドラム４２に巻かれた紙葉類の一部が繰出対象の紙葉類の方へ垂れ下がった場合でも、この垂れ下がった紙葉類の切れ部分と繰出対象の紙葉類とを突出部８７によって分離することができる
【００９９】
＜変形例＞
図１では、複数のテープの間に紙葉類を挟み、テープごとドラムに巻き取って収納する態様を示したが、紙葉類の収納方法がこれに限定されるものではない。図１４は、図１に示す収納繰出装置１００の別の構成例を示す模式図である。
【０１００】
図１４に示す収納繰出装置１００は、以下の点が図１に示した構成と異なる。図１４に示す収納繰出装置１００は、図１に示すテープ１４１及びリール１２１を有さない。入出ユニット４３０を通過する紙葉類は、上下からテープにより挟まれておらず、紙葉類の下方のみに配置されたテープ１４２の上にある。図１４に示す収納繰出装置１００は、案内ローラ１３２に対向配置されたローラ４３１を有する。図１４に示す収納繰出装置１００は、第１の可動ガイド１５０に加えて第２の可動ガイド４５０を有する。
【０１０１】
ローラ４３１は軸４３１ａを中心とする時計回りと反時計回りの両方向に回転可能に設けられている。紙葉類の収納時及び繰出時にテープ１４２が走行すると、このテープ１４２に外周面を接触させたローラ４３１も回転する。ローラ４３１は紙葉類を搬送する搬送ローラとして機能する。
【０１０２】
テープ１４２を挟んで第１の可動ガイド１５０と対向配置された第２の可動ガイド４５０は第１の可動ガイド１５０と同様に図面奥行方向に長い板形状を有する。第２の可動ガイド４５０は軸４３１ａ周りに回転可能に設けられている。第２の可動ガイド４５０は、矢印２０５で示すように、図示しないバネ部材によって反時計回りの方向に付勢されている。第２の可動ガイド４５０はドラム１１０に巻き取られた紙葉類３００の枚数に合わせて移動しながら、ドラム１１０に巻き取られる紙葉類をガイドする。
【０１０３】
図１４に示す構成ではローラ４３１及び案内ローラ１３２が入出ユニット４３０を構成する。なお、図１４に示す構成に、図１に示した搬送ローラ１３５及び１３６を加えて入出ユニット４３０とする態様であってもよい。
【０１０４】
紙葉類は、案内ローラ１３２によって案内されるテープ１４２とローラ４３１との間を通って矢印２０１で示すように入出される。紙葉類を収納する際にはドラム１１０が時計回りの方向に回転する。ドラム１１０が回転すると案内ローラ１３２が回転してテープ１４２が走行する。テープ１４２が走行するとローラ４３１が回転する。ローラ４３１と案内ローラ１３２との間をテープ１４２と共に通過した紙葉類は、２つの可動ガイド１５０、４５０の間を通ってテープ１４２と共にドラム１１０に巻き取られて収納される。１枚目の紙葉類はドラム１１０の外周面とテープ１４２との間に挟まれた状態で収納されることになる。
【０１０５】
紙葉類を繰り出す際にはリール１２２が時計回りの方向に回転する。リール１２２が回転すると案内ローラ１３２、ローラ４３１及びドラム１１０も回転する。テープ１４２と共にドラム１１０から送り出された紙葉類は、２つの可動ガイド１５０、４５０の間を通りローラ４３１と案内ローラ１３２の間を経て装置外へ繰り出される。
【０１０６】
このように、収納繰出装置１００が、１枚目の紙葉類をドラム１１０の外周面とテープ１４２との間に挟んで巻き取る構成を有する場合も、可動ガイド１５０に突出部１５２を設けることによりジャムの発生を抑制することができる。具体的には、ドラム１１０に巻かれた紙葉類に切れ目があって切れ部分がドラム１１０から離れて垂れ下がった場合でも、突出部１５２により、この切れ部分が入出ユニット４３０を構成するローラ４３１と案内ローラ１３２との間に巻き込まれることを防ぐことができる。
【０１０７】
この場合も、側面が略三角形状の突出部１５２の頂部より低い位置をテープ１４２が走行するように突出部１５２を設けることにより、図１で説明したように、繰出方向へ強制移動される紙葉類と自由に移動できる切れ部分とを分離する効果と、切れ部分の先端がローラ４３１に近付くことを妨げる効果と、切れ部分の先端がローラ４３１に近付くまでの移動距離を長くしてその間にドラム１１０の回転に伴って切れ部分を上方へ移動させる効果とを期待できる。
【０１０８】
本実施形態では、側面が略三角形の薄板形状を有する突出部を示したが、突出部の形状は特に限定されない。ガイド面から突出して形成された突出部の少なくとも一部の領域が、ドラムと入出ユニットとの間を走行するテープよりもガイド面から離れた位置にあれば側面形状が三角形以外の形状であってもよい。突出部が薄板形状に限定されるものではなく、例えば、突出部を上方から見た形状が円形や楕円形であってもよい。
【０１０９】
上述したように、本実施形態に係る紙葉類収納繰出装置によれば、ドラムと、該ドラムとの間で紙葉類を入出する入出ユニットとの間に突出部が設けられている。紙葉類の繰出時に、ドラムに巻かれた紙葉類に切れ目があって、該紙葉類の一部がドラムから離れて垂れ下がった場合でも、突出部によって、この垂れ下がった部分を繰出対象の紙葉類から分離することができる。入出ユニットには、例えばスクレーパ、ガイド、ローラの少なくともいずれか１つの部材が含まれるが、突出部の機能により、ドラムに巻かれた紙葉類の一部が、繰出対象の紙葉類と共に入出ユニットの部材に巻き込まれてジャムが発生することを抑制することができる。
【産業上の利用可能性】
【０１１０】
以上のように、本発明に係る紙葉類収納繰出装置及び紙葉類処理装置は、紙葉類収納繰出装置内におけるジャムの発生を抑制するために有用である。
【符号の説明】
【０１１１】
１０  紙葉類処理装置
１２  筐体
１４  入出金部
１４ａ  仕切部材
１６  第１繰出機構
１８  第２繰出機構
２０  搬送部
２２  識別部
２４  幅方向位置合わせ部
２６  偽券収納部
３０、３２  紙葉類収納繰出部
３１、３３  繰出機構
４０  一時保留部（紙葉類収納繰出装置）
４２、１１０  ドラム
５０、５２、５４、５６、６５、６６、６７、６８、１３１、１３２  案内ローラ
５１ａ、５１ｂ、１３５、１３６  搬送ローラ
５７  支持板
５８、１２１、１２２  リール
６０  検知板
６２  フォトインタラプタ
６４  駆動モータ
８２、１５０、４５０  可動ガイド
８４  ベアリング（ローラ）
８７、１５２  突出部
９０、９２、９４、１４１、１４２  テープ
９６、１３３  スクレーパ
１００  収納繰出装置
１３０、４３０  入出ユニット
１５１、４３１  ローラ
【図１】
2020052850.tif 000003
【図２】
2020052850.tif 000004
【図３】
2020052850.tif 000005
【図４】
2020052850.tif 000006
【図５】
2020052850.tif 000007
【図６】
2020052850.tif 000008
【図７】
2020052850.tif 000009
【図８】
2020052850.tif 000010
【図９】
2020052850.tif 000011
【図１０】
2020052850.tif 000012
【図１１】
2020052850.tif 000013
【図１２】
2020052850.tif 000014
【図１３】
2020052850.tif 000015
【図１４】
2020052850.tif 000016